(57)【要約】【課題】より大量の鶏を、より快適な環境で、元気に飼育することができ、たとえ猛暑時においても影響を受けることがなく、産卵効率を向上させて生産コストの低減に寄与する鶏の飼育装置が望まれていた。【解決手段】長手方向に長く、かつ長手方向に沿って内部が仕切り板にて導風室と戻りダクト室に区画される複数の鶏舎棟を備える。飼育ブロックは、複数の鶏舎棟の導風室に配置され、多数の鶏を収容する飼育ゲージを導風室に沿って長手方向に並べられたものである。１つの空調装置棟は、複数の鶏舎棟のそれぞれ一端部に接続され、戻りダクト室から戻りの熱交換空気を吸込んで熱交換し、温度制御した冷気もしくは暖気の熱交換空気に換えて前記導風室へ吹出す。曲がりダクト部は、複数の鶏舎棟のそれぞれ他端部に設けられ、導風室から戻りダクト室へ熱交換空気を案内する。【選択図】図１
2013201969.tif 000002
【特許請求の範囲】
【請求項１】
長手方向に長く、かつ長手方向に沿って内部が仕切り板にて導風室と戻りダクト室に区画される複数の鶏舎棟と、
前記複数の鶏舎棟の前記導風室内に配置され、多数の鶏を収容する飼育ゲージを前記導風室に沿って長手方向に並べた飼育ブロックと、
前記複数の鶏舎棟のそれぞれ一端部に接続され、前記戻りダクト室から戻りの熱交換空気を吸込んで熱交換し、温度制御した冷気もしくは暖気の熱交換空気に換えて前記導風室へ吹出す１つの空調装置棟と、
前記複数の鶏舎棟のそれぞれ他端部に設けられ、前記導風室から前記戻りダクト室へ熱交換空気を案内する曲がりダクト部と、
を具備することを特徴とする鶏の飼育装置。
【請求項２】
前記複数の鶏舎棟は、前記仕切り板によってそれぞれ建屋内部が上下に仕切られる２階建て構造とし、
１階部分を、前記導風室とし、
２階部分を、前記戻りダクト室とした、
ことを特徴とする請求項１記載の鶏の飼育装置。
【請求項３】
前記複数の鶏舎棟は平屋建て構造であり、前記仕切り板は、それぞれ建屋内部を、建屋の外壁をなす両側面壁および天井壁と間隙を存して仕切り、
前記仕切り板の内側を、前記導風室とし、
建屋の外壁をなす両側面壁および天井壁と前記仕切り板との間を、前記戻りダクト室とした、
ことを特徴とする請求項１記載の鶏の飼育装置。
【請求項４】
前記空調装置棟は、前記複数の鶏舎棟の前記戻りダクト室から戻りの熱交換空気を吸込んで前記導風室へ吹出す通風路を備えた中央空調装置塔と、前記戻りダクト室から戻りの熱交換空気を吸込んで熱交換し、温度制御した冷気もしくは暖気の熱交換空気に換えて前記導風室へ吹出す空調装置と、この空調装置から吹出す熱交換空気を前記複数の鶏舎棟の前記導風室へ案内する主導風路、および戻りの熱交換空気を前記戻りダクト室から前記空調装置へ案内する主戻り導風路を備えた主幹ヘッダ棟からなり、
前記複数の鶏舎棟は、前記主幹ヘッダ棟の長手方向に沿う両側に、互いに所定間隔を存して設けられる
ことを特徴とする請求項２および請求項３のいずれかに記載の鶏の飼育装置。
【請求項５】
前記複数の鶏舎棟は、前記中央空調装置塔に近い側から遠い側に亘って順次、長手方向長さが短く構成される
ことを特徴とする請求項４記載の鶏の飼育装置。
【請求項６】
前記主幹ヘッダ棟の主導風路から前記複数の鶏舎棟の導風室への分岐部に、熱交換空気を案内する熱交換空気案内板が設けられ、
前記熱交換空気案内板は、前記中央空調装置塔に近い側から遠い側に亘って順次、大きく構成される
ことを特徴とする請求項４記載の鶏の飼育装置。
【請求項７】
前記空調装置棟は、平面視で多角形状に構成され、
前記複数の鶏舎棟は、それぞれ前記空調装置棟の各面に対して放射状に設けられる
ことを特徴とする請求項２および請求項３のいずれかに記載の鶏の飼育装置。
【発明の詳細な説明】
【技術分野】
【０００１】
本発明の実施態様は、多数の鶏を快適な環境で飼育できるよう空調設備を備えた鶏の飼育装置に関する。
【背景技術】
【０００２】
従来から、大量の鶏の健康を維持しつつ飼育でき、かつ効率良く集卵が可能な鶏の飼育装置が考慮され、多くの［特許文献］が提供されている。鶏は、高温に弱いため、高い密度の鶏舎で飼育するためには、温度管理（冷却）が重要となる。
【０００３】
たとえば、［特許文献１］に示す冷房設備を備えた鶏舎は、建屋の一端部に備えた冷水フィルタへ多量の水を散水して気化させ、気化熱で鶏舎内を冷却するようになっている。鶏舎内を冷却した後の空気は、建屋の他端部に設けられる強制排風ファンによって、強制的に建屋から排気される。冷水フィルタは、網目状のものであり、空気が通過できるよう多数の空隙を備えている。
【先行技術文献】
【特許文献】
【０００４】
【特許文献１】特開平９−１３５６４８号公報
【発明の概要】
【発明が解決しようとする課題】
【０００５】
集卵のためには、鶏舎内で鶏を一列に整列させる必要がある。また、生産コストを下げるために、より大量の鶏を飼育しようとすると、鶏舎は長手方向に長くなる。そのため、冷水フィルタで外気温より数度程度下げたとしても、大量の鶏から放射する熱により、鶏舎内全体をむらなく充分に冷却することができない虞れがある。
【０００６】
また、現在は、たとえば集卵コンベアの効率的な利用を考慮し、長手方向に長い鶏舎を複数棟、平行に配置した構造となっている。鶏舎内を完全冷暖房する空調装置を導入しようとすると、各棟ごとに、長手方向に沿い所定間隔を存して室内機を設置することになる。これに対して室外機を一括して同じ場所に備えると、各室内機との接続配管工事が複雑になる。
【０００７】
このような事情から、より大量の鶏を、より快適な環境で、元気に飼育することができ、たとえ猛暑時においても影響を受けることがなく、産卵効率を向上させて生産コストの低減に寄与する鶏の飼育装置が望まれていた。
【課題を解決するための手段】
【０００８】
本実施形態における鶏の飼育装置は、長手方向に長く、かつ長手方向に沿って内部が仕切り板にて導風室と戻りダクト室に区画される複数の鶏舎棟を備える。  
飼育ブロックは、複数の鶏舎棟の導風室内に配置され、多数の鶏を収容する飼育ゲージを導風室に沿って長手方向に並べられたものである。  
１つの空調装置棟は、複数の鶏舎棟のそれぞれ一端部に接続され、戻りダクト室から戻りの熱交換空気を吸込んで熱交換し、温度制御した冷気もしくは暖気の熱交換空気に換えて前記導風室へ吹出す。  
導風室と戻りダクト室をつなぐ曲がりダクト部は、複数の鶏舎棟のそれぞれ他端部に設けられ、導風室を通過した熱交換空気を戻りダクト室へ案内する。
【図面の簡単な説明】
【０００９】
【図１】第１の実施形態に係る、鶏の飼育装置における外観斜視図。
【図２】同実施の形態に係る、中央空調装置塔および主幹ヘッダ棟一部の縦断面図。
【図３】同実施形態に係る、１つの鶏舎棟と主幹ヘッダ棟における熱交換空気の流れを説明する図。
【図４】同実施形態に係る、一部に熱交換空気の流れを説明する鶏の飼育装置の平面図。
【図５】同実施の形態に係る、通常時と、鳥インフルエンザ流行時における、各構成機器の動作の一例を示す図。
【図６】同実施形態に係る、互いに異なる変形例を示す鶏の飼育装置における概略平面図。
【図７】第２の実施の形態に係る、鶏の飼育装置における外観斜視図と、中央空調装置塔の平面図。
【図８】同実施の形態に係る、鶏舎棟の縦断面図。
【発明を実施するための形態】
【００１０】
以下、本実施形態を図面にもとづいて説明する。  
図１は、第１の実施の形態に係る、鶏の飼育装置ＫＡを概略的に示す外観斜視図である。
【００１１】
この鶏の飼育装置ＫＡは、１つの空調装置棟Ｓで構成される。空調装置棟Ｓは、中央空調装置塔１と、この中央空調装置塔１に一端部が接続され、他端部方向へ横長に延出され、その側面から外気が侵入しないように窓を無くしたウインドレス構造となっている１つの主幹ヘッダ棟３を備えている。
【００１２】
この主幹ヘッダ棟３の他端部の終端には、換気ダンパ２を備えて閉塞されている。さらに、飼育装置ＫＡには、この主幹ヘッダ棟３の左右両側に接続され、互いに所定間隔を存して平行に横長状の複数の鶏舎棟４が設けられる。この鶏舎棟４も、その側面から外気が侵入しないように窓を無くしたウインドレス構造をなす。
【００１３】
各鶏舎棟４の主幹ヘッダ棟３接続部とは反対側の端部には、曲りダクト部５が設けられている。中央空調装置塔１を、たとえば魚の頭部に見立てると、主幹ヘッダ棟３はその背骨にあたり、複数の鶏舎棟４は主幹ヘッダ棟３から分岐した小骨状をなしているので、全体的に略「魚の骨」状に構成される。
【００１４】
後述するように、空調装置棟は、室内ユニットおよび室外ユニットからなる空調装置６を備え、空気を吸込んで、冷気もしくは暖気等の熱交換空気を生成する。  
主幹ヘッダ棟３は、空調装置６で生成された熱交換空気を案内するとともに、中央空調装置塔１へ戻りの熱交換空気を案内する２つの通風経路を備えたダクト構造となっている。
【００１５】
各鶏舎棟４は、実際に多数の鶏を収容したうえに、中央空調装置塔１から主幹ヘッダ棟３に導かれた熱交換空気を導入し、曲りダクト部５を介して再び主幹ヘッダ棟３へ導出するダクト構造となっている。
【００１６】
さらに、鶏の飼育装置ＫＡの各構成部を詳細に説明する。  
図２は、中央空調装置塔１と、この中央空調装置塔１に接続する主幹ヘッダ棟３の一部の縦断面図である。
【００１７】
中央空調装置塔１は、平面視で四角形状をなし、通常構造の建屋の３階に適当する高さ寸法を有する。塔１の底部は、地面７内にある程度埋設されている。屋上部分には、複数の室外熱交換器からなる室外ユニット８が配置されていて、内部に導かれる冷媒と外気とを熱交換するようになっている。
【００１８】
３階に相当する部位には、各面に通気用窓９が嵌め込まれ、これら通気用窓９に対向する塔内には外気取入れ用ダンパ１０が設けられる。これら外気取入れ用ダンパ１０は、図示しないコントロール室で自動に開閉制御できる。
【００１９】
外気取入れ用ダンパ１０の内側には、鶏やそのえさを狙って進入してくる小動物の侵入防止用の金網１１が張られ、中央空調装置塔１の唯一の開口部である通気用窓９からの小動物の侵入を外気取入れ用ダンパ１０の開閉に係らず阻止する。中央空調装置塔１内の通気用窓９等の下端部には、外気取入れ用の複数の吸気ファン１２が取付けられる支持板１３が設けられる。
【００２０】
外気取入れ用ダンパ１０を開放し、複数の吸気ファン１２を一斉に駆動することで、外気（Ｏ．Ａ）が通気用窓９と、外気取入れ用ダンパ１０と、小動物侵入防止用の金網１１を介して中央空調装置塔１の内部に取入れられ、さらに吸気ファン１２から塔１内下部へ吹出されるようになっている。
【００２１】
中央空調装置塔１の１階天井に相当する部位には、仕切り(床)は設けられておらず１階部分と２階部分は開放されている。中央空調装置塔１の１階天井に相当する位置に、塔壁に沿って環状の消毒噴霧ノズル１５が設けられる。この消毒噴霧ノズル１５の内側には、互いに対向して多数の小孔が設けられ、塔外に設けられる図示しない消毒液タンクに案内パイプを介して連通される。
【００２２】
鳥インフルエンザ流行時には、「純水二酸化塩素」希釈水や、オゾン水等の消毒液を用いて、消毒噴霧ノズル１５からスプレイミスト状となって噴霧される。消毒噴霧ノズル１５の下部に沿って、消毒液を集中して案内するガイド板１６が設けられる。中央空調装置塔１底部にはドレンパン１７が設けられる。ドレンパン１７が受けた消毒液は、塔外に配置される図示しない排出タンクへ案内パイプを介して排出される。
【００２３】
主幹ヘッダ棟３は、内部を仕切り板１８により１階部分と２階部分との、上下に仕切られる。上述したように、主幹ヘッダ棟３の一端部は中央空調装置塔１に接続され、図１に示す他端部は閉塞されたうえで換気ダンパ２が設けられる。
【００２４】
主幹ヘッダ棟３内部の仕切り板１８で仕切られる１階部分を、「主導風路」２０と呼び、２階部分を、「主戻り導風路」２１と呼ぶ。中央空調装置塔１は、その内部に主幹ヘッダ棟３の主戻り導風路２１を流れる戻り熱交換空気を再び主幹ヘッダ棟３の主導風路２０ダクトへと送り出す通風路１ａを備えている。通風路１ａは、中央空調装置塔１の２階部分から１階部分を貫通して形成され、熱交換空気は２階から１階側へと流れる。
【００２５】
中央空調装置塔１の１階部分である、主幹ヘッダ棟３の主導風路２０と対向する位置に、複数のプレフィルタからなるプレフィルタ群２３、および複数のＨＥＰＡフィルタからなるＨＥＰＡフィルタ群２４が配置される。特に、非常に目の細かいフィルタであるＨＥＰＡフィルタ群２４は、鳥インフルエンザ流行時など必要に応じて取付けてもよい。
【００２６】
そして、これらプレフィルタ群２３とＨＥＰＡフィルタ群２４とに対向して室内ユニット２５が配置される。室内ユニット２５は、複数の室内熱交換器２６および室内送風機２７からなる。室内ユニット２５および室外ユニット８と、図示しない室内ユニット２５と室外ユニット８とを連結する冷媒配管群とで、空調装置６が構成される。
【００２７】
なお、図２の例では、室内ユニット２５が主幹ヘッダ棟３内に配置されているが、消毒噴霧ノズル１５とドレンパン１７の配置を考慮することで、プレフィルタ群２３およびＨＥＰＡフィルタ群２４とともに、室内熱交換器２６と室内送風機２７からなる室内ユニット２５を、中央空調装置塔１内に完全収容することも可能である。
【００２８】
主幹ヘッダ棟３の２階部分である主戻り導風路２１には、ここに後述するように導かれる熱交換空気を中央空調装置塔１へ吹出す換気扇２８が設けられるとともに、二酸化炭素除去装置２９が配置される。換気扇２８は常時駆動されるが、二酸化炭素除去装置２９は、鳥インフルエンザ流行時の予防装置として運転される。
【００２９】
特に図示していないが、主幹ヘッダ棟３の主戻り導風路２１に、集塵機や、集塵除塵装置を配置してもよい。これら装置を運転することで、主戻り導風路２１を通過する空気から、羽毛や鶏飼料あるいは鶏の糞からなる、「コンタミナンツ」を効率良く除去することができる。
【００３０】
さらに、主幹ヘッダ棟３と中央空調装置塔１の接続部分に、電動式シートシャッタを設けるとよい。電動式シートシャッタに対するコントロール室での制御によって、中央空調装置塔１と主幹ヘッダ棟３および各鶏舎棟４とを完全に分離できるとともに、開度の調整によって各鶏舎棟４を完全な陽圧状態（内部圧を屋外気圧よりも高くすること）にしておくことができる。
【００３１】
前記室内ユニット２５の室内送風機２７は、高圧の静圧特性をもったものであるが、通風抵抗の大きいＨＥＰＡフィルタ群２４を用いた場合には、インバータ等を用いてその回転数を上げることによって、所定の風量を確保することが可能となる。
【００３２】
図３（Ａ）は、主幹ヘッダ棟３を縦断面とし、１棟の鶏舎棟４を部分的に切欠した図である。図３（Ｂ）は、図３（Ａ）のＢ−Ｂ矢視図で、１棟の鶏舎棟４の縦断面図であり、内部構造と熱交換空気の流れを説明している。  
図中、丸の中に×印は、熱交換空気が手前側から紙面の奥側に流れ、丸の中央に黒丸印は、熱交換空気が紙面の奥側から手前に流れる様子を示している。
【００３３】
上述したように、主幹ヘッダ棟３内部は１階部分の天井で２階部分の床となる仕切り板１８を介して上下に仕切られ、１階部分と２階部分のいずれにも窓がない。１階部分は主導風路２０であり、２階部分は主戻り導風路２１として形成される。
【００３４】
１つの主幹ヘッダ棟３に複数の鶏舎棟４が接続されていて、それぞれの鶏舎棟４の内部は、主幹ヘッダ棟３の仕切り板１８と同一高さに設けられる仕切り板３０により、上下に仕切られる。鶏舎棟４内の仕切り板３０の下部である１階部分を、「導風室」３１と呼び、仕切り板３０の上部である２階部分を、「戻りダクト室」３２と呼ぶ。  
１つの主幹ヘッダ棟３と各鶏舎棟４の接続部分には、縦方向の仕切りがなく、主幹ヘッダ棟３の主導風路２０と各鶏舎棟４の導風室３１とは、互いに連通し、同様に、主幹ヘッダ棟３の主戻り導風路２１と各鶏舎棟４の戻りダクト室３２とは、互いに連通する。
【００３５】
鶏舎棟４の導風室３１に、多数の鶏を収容する飼育ゲージＧが多段に積み重ねられた飼育ブロックＧＡを、導風室３１の長手方向に沿って複数、並べた状態で収容する。特に図示していないが、導風室３１には、集卵コンベアや、給排水装置、および糞の処理コンベアが設けられていて、これらのユーティリティ管理は全てコントロール室で集約制御が可能である。
【００３６】
主幹ヘッダ棟３の主導風路２０には、飼育ブロックＧＡはなく、各鶏舎棟４の集卵コンベア、給排水装置、糞の処理コンベアに接続する、図示を省略した主集卵コンベア、主給排水装置、糞の主処理コンベアが備えられている。これらのユーティリティ管理も全てコントロール室で集約制御が可能であり、省力化が得られる。
【００３７】
図３（Ａ）に示すように、各鶏舎棟４における主幹ヘッダ棟３と接続する部位とは反対側の端部に、上述した曲りダクト部５が接続される。曲りダクト部５は、鶏舎棟の１階部分である導風室３１と、２階部分である戻りダクト室３２とを連通するように曲成される。特に図１に示すように、曲りダクト部５の側面壁に換気ダンパ３３が設けられる。
【００３８】
上述したように、中央空調装置塔１には外気取入れ用ダンパ１０が設けられ、主幹ヘッダ棟３および各鶏舎棟４は、窓の無いウインドレス構造である。また、主幹ヘッダ棟３端部には換気ダンパ２が開閉自在に設けられ、曲りダクト部５にも換気ダンパ３３が開閉自在に設けられる。
【００３９】
このことから、主幹ヘッダ棟３と各鶏舎棟４は、各ダンパ１０，２，３３を密閉もしくは開度制御をなし、さらに空調装置６を駆動することで、内部の気圧を外部より高めた、「陽圧式」とすることができる。外部からの空気の取り込みは、中央空調装置塔１の外気取入れのみとして、プレフィルタ群２３およびＨＥＰＡフィルタ群２４を通過しない空気が各鶏舎棟４に直接侵入することを防止できる。
【００４０】
図４は、鶏の飼育装置ＫＡの平面図であり、一部に熱交換空気の流れを示す。  
主幹ヘッダ棟３の主導風路２０と、各鶏舎棟４の導風室３１との分岐部に、主導風路２０から導かれる熱交換空気を、それぞれの鶏舎棟４の導風室３１へ効率良く分配して案内するための熱交換空気案内板３５が設けられる。
【００４１】
図２ないし図４に示すように、中央空調装置塔１内の空調装置６で生成される冷風もしくは暖風である熱交換空気（Ｃ．Ａ）は、主幹ヘッダ棟３の主導風路２０へ吹出される。さらに、熱交換空気は熱交換空気案内板３５により各鶏舎棟４の導風室３１に分流して導かれ、導風室３１に配置される飼育ゲージＧ内の鶏に対する冷房もしくは暖房をなす。
【００４２】
導風室３１から出た熱交換空気は、曲りダクト部５から各鶏舎棟４の戻りダクト室３２へリターン空気（Ｒ．Ａ）となって導かれる。したがって、各鶏舎棟４においては仕切り板３０によって仕切られた対向流が形成されることになる。
【００４３】
各鶏舎棟４の戻りダクト室３２を導かれたリターン空気は、主幹ヘッダ棟３の主戻り導風路２１に集流する。この主幹ヘッダ棟３においても仕切り板１８によって仕切られた対向流が形成され、主戻り導風路２１から空調装置６へ吸込まれる。そして、再び室内熱交換器２６によって熱交換されて冷風もしくは暖風などの熱交換空気となって主導風路２０へ吹出される。
【００４４】
結局、この鶏の飼育装置ＫＡにおいて、熱交換空気は１つの中央空調装置塔１から、１つの主幹ヘッダ棟３を介して複数の鶏舎棟４それぞれをループ状に循環して導かれることになる。そのため、従来のような複数に分散された鶏舎棟をそれぞれ空調する分散バッチ方式空調換気のような空気のよどみや温度分布不均一の問題が無い。一様流に近い空調分布が得られて、空調効率の向上を図れる。
【００４５】
鶏舎棟４内部を上下に仕切る仕切り板３０を介して１階の導風室３１と２階の戻りダクト室３２に区画し、それぞれの室３１，３２に熱交換空気を流すようにした。そのため、日射負荷を２階にある戻りダクト室３２に導かれるリターン空気の流れで断熱できる。鶏舎棟４の屋根裏に施工する断熱材を特に分厚くする必要が無く、工事費の削減化が可能になる。
【００４６】
外気温が極めて高温（たとえば、３５℃以上）となった猛暑日には、全てのダンパ２，１０，３３を閉じ、外気による熱負荷の増加を防止して空調装置６は冷房運転を行う。すなわち、室内ユニット２５から冷風が吹出され、主幹ヘッダ棟３の主導風路２０を介して各鶏舎棟４の導風室３１に分流される。
【００４７】
各鶏舎棟４の導風室３１には、多数の鶏が収容された飼育ゲージＧが配置されているから、冷風が飼育ゲージＧ内の鶏を冷却する。これにより、鶏の致死温度（約４０℃）以下を確保して、猛暑被害を回避できる。
【００４８】
外気温が氷点下となると、鶏は体温維持のため動作が緩慢となり、よって飼料の摂取量が落ちる。いわゆる、飼料効率が低下し、そのため産卵効率が落ちる。このときは、全てのダンパ２，１０，３３を閉じるとともに、空調装置６は暖房運転に切換える。
【００４９】
暖風が主幹ヘッダ棟３の主導風路２０を介して各鶏舎棟４の導風室３１へ吹出され、飼育ゲージＧ内の鶏を温める。よって、鶏にとっての最適温度（約１３℃程度）を確保でき、産卵効率を平常時と同じレベルに維持できる。
【００５０】
なお、温暖地域では、外気温がそれほど低下せず、かつ大量の鶏の発熱も寄与するため、鶏舎棟４の暖房は不要となる。このような地域では、空調装置６は冷房専用のものを使用してもよい。
【００５１】
図５は、平常時と、鳥インフルエンザ（疾病）流行時における、鶏の飼育装置を構成する部の動作を示す図である。  
平常時は、ＨＥＰＡフィルタ２４を撤去し、外気の洗浄を行わない。飼育ケージＧＡの温度を管理し、鶏にとって最適温度である１３℃と、その前後の温度では、空調装置６は冷凍サイクルの運転を停止し、室内送風機２７のみを運転させる送風運転をなす。吸気ファン１２は駆動され、各ダンパ２，１０，３３は全開状態にある。  
また、最適温度より数度下がったところで、空調装置６は暖房運転を行ない、吸気ファン１２は停止する。各ダンパ２，１０，３３は、それぞれ半開から全閉状態に変る。
【００５２】
一方、最適温度より数度上がったところで、空調装置６は弱冷運転に切り替わり、さらに温度が上がると強冷房運転に変り、強冷房運転では吸気ファン１２は停止する。各ダンパ２，１０，３３は、それぞれ半開から全閉状態に変る。それぞれの機器の動作変化温度は、図５に示すように互いに異なる。これらのいずれの状態でも、二酸化炭素除去装置２９は運転を行なわない
一方、鳥インフルエンザ等のウイルス性鳥疾病流行時には、ＨＥＰＡフィルタ２４を追加で組み込むとともに、消毒液を散布する。空調装置６および吸気ファン１２の動作は、基本的には平常時と同一でよいが、図５に示すように各機器の動作切換えの温度はそれぞれ若干相違する。
【００５３】
各ダンパ２，１０，３３は、最適温度近傍では半開状態とし、最適温度より数度下がったところで全閉に切換え、最適温度より数度上がったところでも全閉に切換える。二酸化炭素除去装置２９は最適温度近傍では停止しているが、最適温度より数度下がったところで運転を開始し、最適温度より数度上がったところでも運転を開始する。
【００５４】
このように、鳥疾病流行時は、外気流入を減少もしくは完全に遮断し、既に中央空調装置塔１内部に取入れられた外気の消毒を行う。ことにより、飼育ゲージＧ内に収容される鶏がウイルスに襲われることを防止でき、理想的な防疫モードを実現できる。
【００５５】
図６（Ａ）、（Ｂ）は、先に図１で説明した鶏の飼育装置ＫＡとは互いに異なる構造の、変形例での鶏の飼育装置ＫＡ１，ＫＡ２の平面図である。  
先に説明した鶏舎棟４は、いずれも同じ長さ寸法に形成したが、これに限定されるものではなく、図６（Ａ）に示すように、鶏舎棟４Ａは、中央空調装置塔１に近い部位から遠くに離れるにしたがって、順次長手方向長さが短く形成される。
【００５６】
すなわち、中央空調装置塔１に対して主幹ヘッダ棟３がダクト構造であり、各鶏舎棟４Ａもダクト構造をなす。主幹ヘッダ棟３から各鶏舎棟４へ熱交換空気を分配する熱交換空気案内板３５の大きさや方向（や角度）を適切に設置しないと、中央空調装置塔１に近い鶏舎棟４Ａほど、多量の熱交換空気が流れ、離れるほど熱交換空気が少量になる。
【００５７】
図４では熱交換空気案内板３５の大きさを、中央空調装置塔１に近い側から遠い側に亘って、順次大きくして対応している。このような熱交換空気案内板３５の大きさや角度の設定は、それぞれの各鶏舎棟４に合わせて設定しなければならず、難しい。
【００５８】
そこで、図６（Ａ）では、各鶏舎棟４Ａは中央空調装置塔１に近い部位から遠くに離れるにしたがって、順次長手方向長さを短く形成することで、各鶏舎棟４Ａと中央空調装置塔１との間で行なわれる熱交換空気の流通における距離をできるだけ等しくすることで、各鶏舎棟４Ａの隅々までほとんど同じ状態で熱交換空気が行き渡るようにした。
【００５９】
図６（Ｂ）では、前述の図６（Ａ）と同様に各鶏舎棟４Ｂは、中央空調装置塔１に近い部位から遠くに離れるにしたがって、順次長手方向長さを短く形成することに加え、各鶏舎棟４Ｂの長手方向を主幹ヘッダ棟３に対して主導風路２０と導風室３１間の熱交換空気の流れが鈍角をなすように所定の角度だけ傾けた状態で接続した。
【００６０】
これにより、中央空調装置塔１から主幹ヘッダ棟３の主導風路２０に導かれた熱交換空気を、抵抗の少ない状態で効率良く、各鶏舎棟４の導風室３１へ分流できる。そして、曲りダクト部５から戻りダクト室３２へ導かれた戻りの熱交換空気を、主幹ヘッダ棟３の主戻り導風路２１へ抵抗の少ない状態で効率良く導くことができる。
【００６１】
図７（Ａ）は、第２の実施形態における鶏の飼育装置ＫＢの外観斜視図であり、図７（Ｂ）は、同実施形態の中央空調装置塔１Ｂの横断平面図である。この実施形態では、空調装置棟は、中央空調装置塔１Ｂのみから構成される。
【００６２】
ここで中央空調装置塔１Ｂは、平面視で多角形状（図７の例では、五角形状）をなす。上述したような主幹ヘッダ棟３は不要であり、複数の鶏舎棟４Ｃは中央空調装置塔１Ｂの各面に直接、接続される。換言すれば、鶏舎棟４の数は、中央空調装置塔１Ｂの多角形状に合わせて設けられ、それ以上でもなく、それ以下でもない。
【００６３】
中央空調装置塔１Ｂの内部には、室内ユニットが配置され、屋上に室外ユニット８が配置され、これらで空調装置６が構成される。さらに、図２で説明したような、通気用窓９が嵌め込まれ、内部に外気取入れ用ダンパが設けられ、小動物侵入防止用の金網が張られている。複数の吸気ファンが取付けられ、環状の消毒噴霧ノズルが設けられ、底部にドレンパンが設けられることも同様である。
【００６４】
図８は、各鶏舎棟４Ｃの縦断面図である。  
各鶏舎棟４Ｃは、ウインドレスであることには変りがないが、高天井（屋根）とした、平屋構造となっている。両側面壁などの外壁と天井壁（屋根）は、安価な軽量鋼を主材とした、いわゆるプレハブ建屋ですむ。この建屋内を２重に仕切る仕切り板３０Ｂは、両側面壁と天井壁とは所定の間隙を存して設けられる。すなわち、各鶏舎棟４Ｃは、プレハブ建屋の内部に建屋が設けられたような２重構造になっている。
【００６５】
鶏舎棟４Ｃの断面は、仕切り板３０Ｂ内部の導風室３１Ｂ（内側建屋）と、仕切り板３０Ｂ外部と建屋の外壁である両側面壁および天井壁との間隙に形成される戻りダクト室３２Ｂとからなる。
【００６６】
それぞれの断面形状は、導風室３１Ｂが矩形であるのに対して、戻りダクト室３２Ｂは上下に反転した凹状に形成される。互いの導風室３１Ｂと戻りダクト室３２Ｂの一端部は中央空調装置塔１Ｂに接続され、他端部は曲りダクト部５によって連通状態にある。導風室３１Ｂには、多数の鶏を収容する飼育ゲージＧを、この長手方向に沿って並べられた飼育ブロックＧＡが配置されることは変りがない。
【００６７】
鶏舎棟４Ｃの数が、中央空調装置塔１Ｂの多面の数と同じなので、小規模の鶏の飼育装置ＫＢとして適用するのに都合がよい。鶏を収容する飼育ゲージＧを並べた飼育ブロックＧＡは、鶏舎棟４Ｃの外壁と、仕切り板３０Ｂとの二重構造で囲まれるので、外気温の影響を受け難く、完全な冷暖房効果が得られる。
【００６８】
第１、第２の実施の形態における鶏舎棟４，４Ａ，４Ｂ，４Ｃは、長さが２５Ｍ程度の中規模のものを想定している。したがって、室内送風機２７は、ある程度の静圧が得られれば、鶏舎棟４，４Ａ，４Ｂ，４Ｃへの供給途中での温度変化と、風量変化の虞れがない。念のため、主戻り導風路２１もしくは戻りダクト室３２に、ブースタファンを備えて、戻りの熱交換空気を増速させて導くようにしてもよい。
【００６９】
なお、このような平屋建て構造で内部の仕切り板３０Ｂで区画した鶏舎棟４Ｃは、図７に示すように多角形状の中央空調装置塔１Ｂの各面に接続するのに限定されない。図１に示すように、中央空調装置塔１と主幹ヘッダ棟３を介して、略魚の骨状に接続してもよい。当然ながら、このとき主幹ヘッダ棟３は鶏舎棟４Ｃに適応する構造をなす。
【００７０】
逆に、図３に示す鶏舎棟４を、図７に示すような多角形状の中央空調装置塔１Ｂの各面に接続してもよい。この場合も、鶏舎棟４の構造に適応する中央空調装置塔１Ｂの内部構造とする必要がある。
【００７１】
以上、本実施形態を説明したが、上述の実施形態は、例として提示したものであり、実施形態の範囲を限定することは意図していない。この新規な実施形態は、その他の様々な形態で実施されることが可能であり、要旨を逸脱しない範囲で、種々の省略、置換え、変更を行うことができる。これら実施形態およびその変形例は、発明の範囲や要旨に含まれるとともに、特許請求の範囲に記載された発明とその均等の範囲に含まれる。
【符号の説明】
【００７２】
３１…導風室、３２…戻りダクト室、４…鶏舎棟、Ｇ…飼育ゲージ、ＧＡ…飼育ブロック、Ｓ…空調装置棟、５…曲りダクト部、１…中央空調装置塔、６…空調装置、２０…主導風路、２１…主戻り導風路、３…主幹ヘッダ棟。
【図１】
2013201969.tif 000003
【図２】
2013201969.tif 000004
【図３】
2013201969.tif 000005
【図４】
2013201969.tif 000006
【図５】
2013201969.tif 000007
【図６】
2013201969.tif 000008
【図７】
2013201969.tif 000009
【図８】
2013201969.tif 000010